(57)【要約】      （修正有）【課題】より一層の老朽化防止特性を有し、より一層の安全性および快適性を着用者に提供するブラジャーのフレーム構造を提供する。【解決手段】スチールワイヤと、スチールワイヤの両端部を収容する少なくとも一つの熱収縮チューブを有する。追加の熱収縮チューブは、スチールワイヤの端部を収容する熱収縮チューブおよびスチールワイヤ全体を覆うために使われてもよい。スチールワイヤは、互いに重なり合った、あるいは、互いに端と端とを接続する方法で結合された複数の金属ワイヤ部材によって組み立てられてもよい。複数の金属ワイヤ部材は、同一あるいは異なった材質からなってよく、複数の金属ワイヤ部材の長さは互いに同一であっても異なっていてもよい。【選択図】図１
2005188017.tif 000002
【特許請求の範囲】
【請求項１】
弧状に形成された金属ワイヤと、
前記金属ワイヤの各端部を少なくとも収容する少なくとも一つの熱収縮チューブと、を含むことを特徴とするブラジャーのフレーム。
【請求項２】
前記金属ワイヤの両端部を収容する二つの熱収縮チューブを含むことを特徴とする請求項１に記載のフレーム。
【請求項３】
前記金属ワイヤ全体を収容する追加の熱収縮チューブをさらに含むことを特徴とする請求項１に記載のフレーム。
【請求項４】
前記金属ワイヤの各端部を収容した前記熱収縮チューブと、前記金属ワイヤ全体と、を収容する追加の熱収縮チューブをさらに含むことを特徴とする請求項１に記載のフレーム。
【請求項５】
前記熱収縮チューブは、前記金属ワイヤの各端部を覆う第1の層と、前記第1の層を覆う第２の層と、を含むことを特徴とする請求項１に記載のフレーム。
【請求項６】
前記熱収縮チューブは、前記金属ワイヤ全体を覆う第1の層と、前記第1の層を覆う第２の層と、を含むことを特徴とする請求項１に記載のフレーム。
【請求項７】
前記金属ワイヤは、互いに重なり合った、異なる長さの第1および第２の金属ワイヤ部材を含むことを特徴とする請求項１に記載のフレーム。
【請求項８】
前記第１および第２の金属ワイヤ部材の各近接端部間の結合部を収容する少なくとも一つの追加の熱収縮チューブをさらに含むことを特徴とする請求項７に記載のフレーム。
【請求項９】
前記第１および第２の金属ワイヤ部材は、同一の硬さを有する同一の材質からなることを特徴とする請求項７に記載のフレーム。
【請求項１０】
前記金属ワイヤは、互いに重なり合った、同一の長さの第1および第２の金属ワイヤ部材を含むことを特徴とする請求項１に記載のフレーム。
【請求項１１】
前記金属ワイヤは、湾曲したばねを含むことを特徴とする請求項１に記載のフレーム。
【請求項１２】
前記各端部は、プラスチック保護層によってさらに覆われることを特徴とする請求項１に記載のフレーム。
【請求項１３】
前記熱収縮チューブは、ポリマーからなることを特徴とする請求項１に記載のフレーム。
【請求項１４】
前記金属ワイヤは、ばねによって互いに端と端とを接続された二つの金属ワイヤ部材を含むことを特徴とする請求項１に記載のフレーム。
【請求項１５】
前記二つの金属ワイヤ部材と前記ばねとの間の各結合部と、前記ばねと、を覆う追加の熱収縮チューブをさらに含むことを特徴とする請求項１４に記載のフレーム。
【発明の詳細な説明】
【技術分野】
【０００１】
本発明はブラジャーのフレーム構造に関する。
【背景技術】
【０００２】
ブラジャーは、長年、胸部の保護および支持を提供するために開発されてきた。より良い形状を提供するために、フレーム、すなわちアンダーワイヤは、ブラジャーカップの下部の周部分に頻繁に使用される。フレーム、すなわちアンダーワイヤは、弧形状を有する一般的に硬くて扁平なスチール部材である。フレーム、すなわちアンダーワイヤは、ワイヤ挿入部あるいはビロードによって頻繁に包まれる。しかしながら、ワイヤ挿入部あるいはビロードは、スチール部材の鋭い端部によって容易に貫通され、安全性および快適性の問題を引き起こす。
【０００３】
特許文献１では、一対のプラスチックキャップがフレームワイヤの端部に取り付けられる。取り付けの構造は、フレームワイヤの端部に形成された一対の係止突起と、各プラスチックキャップに形成された二つの開口部とを含む。係止突起は相対的に小さいので、係止の強さはしばしば不十分である。さらに、キャップは弾性材あるいはプラスチック材からなるので、キャップは係止突起によって容易に摩滅される。
【０００４】
ブラジャーの中には、成形効果を高めるために、より大きな力を有する単一のワイヤ環を使用するものがある。この形式のフレームは、容易にブラジャーの繊維を貫通する。さらには、力が増加することにより使用者に不快感を生じさせ、しばしば、使用者の胸の周りに圧迫痕を残す。
【特許文献１】米国特許４，１３３，３１６号公報
【発明の開示】
【発明が解決しようとする課題】
【０００５】
上記の問題点を解決するために、本発明に係るブラジャーのフレーム構造は提供される。フレーム構造は、より一層の老朽化防止特性を有し、より一層の安全性および快適性を着用者に提供する。フレーム構造は、着用者の快適性をさらに向上させるために、異なる部分において、異なる物理的特性を有してもよい。
【０００６】
フレーム構造は、スチールワイヤと、スチールワイヤの二つの端部を収容する二つの熱収縮チューブと、を含む。
【０００７】
また、汗あるいは洗濯液によってスチールワイヤが老朽化することを避けるために、スチールワイヤ全体が、前記熱収縮チューブあるいは追加の熱収縮チューブによって覆われてもよい。２重の熱収縮チューブが使用されて、間に空気腔を形成する。その結果、着用者がスチールワイヤによって直接押圧されることを防ぐことができる。
【０００８】
複数のスチールワイヤが集められて、一緒に組み立てられてもよい。具体的な要求にしたがって、複数のスチールワイヤは、同一のあるいは異なった材質からなることができる。複数のスチールワイヤの長さは、同一あるいは互いに異なることができる。力を強めるために、複数のスチールワイヤは、互いに重なり合わされる。柔軟性を増すために、スチールワイヤは、ばねと置き換えてもよい。あるいは、複数のスチールワイヤは、端と端とを接続する方法で接続されてもよい。好ましくは、端部の結合部には、ばねが適用される。各スチールワイヤとばねとの結合部、および、ばね自身もまた、熱収縮チューブによって覆われる。
【課題を解決するための手段】
【０００９】
上記の目的を達成するために、本発明に係るブラジャーフレームは、
（１）  弧状に形成された金属ワイヤと、前記金属ワイヤの少なくとも各端部を収容する少なくとも一つの熱収縮チューブと、を含むことを特徴とする。
【００１０】
（２）  前記金属ワイヤの両方の端部を収容する二つの熱収縮チューブを含む。
【００１１】
（３）  前記金属ワイヤ全体を収容する追加の熱収縮チューブをさらに含む。
【００１２】
（４）  前記金属ワイヤの各端部を収容する熱収縮チューブと、前記金属ワイヤ全体と、を収容する追加の熱収縮チューブをさらに含む。
【００１３】
（５）  前記熱収縮チューブは、前記金属ワイヤの各部を覆う第1の層と、前記第1の層を覆う第２の層と、を含む。
【００１４】
（６）  前記熱収縮チューブは、前記金属ワイヤ全体を覆う第1の層と、前記第1の層を覆う第２の層と、を含む。
【００１５】
（７）  前記金属ワイヤは、互いに重なり合った、異なる長さの第1および第２の金属ワイヤ部材を含む。
【００１６】
（８）  前記第１および第２の金属ワイヤ部材の各近接端部間の結合部を収容する少なくとも一つの追加の熱収縮チューブをさらに含む。
【００１７】
（９）  前記第１および第２の金属ワイヤ部材は、同一の硬さを有する同一の材質からなる。
【００１８】
（１０）  前記金属ワイヤは、互いに重なり合った、同一の長さの第1および第２の金属ワイヤ部材を含む。
【００１９】
（１１）  前記金属ワイヤは、湾曲したばねを含む。
【００２０】
（１２）  前記各端部は、プラスチック保護層によってさらに覆われる。
【００２１】
（１３）  前記熱収縮チューブは、ポリマーからなる。
【００２２】
（１４）  前記金属ワイヤは、ばねによって互いに端と端とを接続された二つの金属ワイヤ部材を含む。
【００２３】
（１５）  前記二つの金属ワイヤ部材と前記ばねとの間の各結合部と、前記ばねを覆う追加の熱収縮チューブと、をさらに含む。
【発明の効果】
【００２４】
本発明によれば、ブラジャーのフレーム構造は、より一層の老朽化防止特性を有し、より一層の安全性および快適性を着用者に提供する。また、本発明のフレーム構造は、異なる部分において、異なる物理的特性を有する部材を適用するので、着用者の快適性をさらに向上させることができる。さらに、着用者がスチールワイヤによって直接押圧されることを防ぐことができる。
【発明を実施するための最良の形態】
【００２５】
本発明の上記の目的および利点は、添付の図面を参照して、その典型的な実施の形態に関して詳述することによってより明瞭になる。
【００２６】
図１〜図１３は、ブラジャーの下部の周部分を囲む弧状に形成されたスチール金属、すなわちスチールワイヤ（金属ワイヤ）１の様々な実施の形態を示すものである。スチールワイヤ１の二つの端部は、ポリエチレンのようなポリマーからなる熱収縮チューブ２に収容される。好ましくは、スチールワイヤ１がブラジャーの繊維を貫通することを防止するために、熱収縮チューブ２は、スチールワイヤ１の先端を越えて伸延している。
【００２７】
製作においては、熱収縮チューブ２によって収容されたスチールワイヤ１は、所定の期間、所定の温度に調整された炉内に配置される。その結果、熱収縮チューブ２が収縮され、熱収縮チューブ２内にスチールワイヤ１の端部がしっかりと収容される。好ましくは、熱収縮チューブ２は、炉において加熱過程が実行される前は、スチールワイヤ１の外側断面寸法より小さい内側断面寸法を有する。一実施の形態において、所定の温度は１２０℃と１４０℃の間であり、好ましくは１３０℃である。そして、所定の期間は約１０〜１５分である。
【００２８】
熱収縮チューブ２によって、図１〜図３に示されるとおり、スチールワイヤ１の両端部を収容することに加えて、スチールワイヤ１全体も、熱収縮チューブ２によって収容され、使用者の快適性をさらに向上させることができる。図４〜図６に示されるとおり、スチールワイヤ１全体にわたる被覆は、また、使用者の汗あるいは洗濯液によって、スチールワイヤ１が老朽化することを避ける。その結果、スチールワイヤ１の寿命が延びる。図４〜図６に示されるとおり、スチールワイヤ１の各端部が二つの熱収縮チューブ２によって収容される場合、熱収縮チューブ２を熱的に収縮するために、スチールワイヤ１は炉内に配置される。
【００２９】
また、図１０および図１１に示されるとおり、フレーム構造は、スチールワイヤ１の両端部を覆う熱収縮チューブ（第１の層）２と、スチールワイヤ１全体を覆う追加の熱収縮チューブ（第２の層）２と、を含む。熱収縮チューブ（第２の層）２は、スチールワイヤ１全体、およびスチールワイヤ１端部において収縮された熱収縮チューブ（第１の層）２を覆うために使用される。この場合、スチールワイヤ１は、再び加熱のための炉内に配置される。
【００３０】
あるいは、スチールワイヤ１全体が、２層の熱収縮チューブ２によって収容されてもよい。この場合、熱収縮チューブ２は、スチールワイヤ１全体を覆う熱収縮チューブ（第１の層）２と、前記熱収縮チューブ（第１の層）２を覆う追加の熱収縮チューブ（第２の層）２と、を含む。その結果、熱収縮チューブ（第１および第２の層）２の中間に空気腔を形成する。このことにより、スチールワイヤ１が着用者を直接押圧することを防ぐための緩衝部が提供される。具体的な要求にしたがって、二層以上の熱収縮チューブ２が、スチールワイヤ１全体に使用されてもよい。
【００３１】
図１〜図６に示すとおり、スチールワイヤ１は、典型的な弧形状のスチールワイヤを含んでもよく、図１２に示されるとおり、は熱収縮チューブ２によって包まれた湾曲したばねを含んでいてもよい。スチールワイヤ１の異なる部分において、異なる物理的特性を提供するために、図７〜図１１および図１３に示すとおり、異なる長さ、硬さ、および材質を有する二あるいは二以上のスチールワイヤが、ブラジャーフレームを形成するために組み立てられることができる。スチールワイヤ１間の結合部は、熱収縮チューブ２によって収容される。
【００３２】
着用者の快適性をさらに改善するために、図１３に示されるとおり、フレーム構造は、互いに結合された二つのスチールワイヤ１と、スチールワイヤ１の結合部に適用されるばね１３と、を含む。ばね１３と、ばね１３および各スチールワイヤ１間の結合部とは熱収縮チューブ２によって包まれる。スチールワイヤ１の末端部は、また、熱収縮チューブ２によって覆われる。
【００３３】
好ましくは、スチールワイヤ１の末端部は、平滑なプラスチック保護層４をさらに含む。また、一実施の形態において、ブラジャーは、フレーム構造物を納めるために、その下部の周部分に沿ったとじ目あるいはポケットを含むことができる。前記ポケットは、好ましくは、フレーム構造によって貫通されない材質からなる。ブラジャーに加えて、本発明のフレーム構造は、また、他の種類の下着、水着または室内着に使用されることができる。
【００３４】
以上のように説明した本発明のフレーム構造を各実施の形態別に整理すれば、以下の通りとなる。
【００３５】
図１〜図３に示される本発明の第１実施の形態では、単一のスチールワイヤ１が使われ、スチールワイヤ１の両端部は二つの熱収縮チューブ２によって収容される。また、前記各端部は、滑らかなプラスチック保護層４によって覆われてもよい。
【００３６】
図４〜図６に示される本発明の第２の実施の形態では、単一のスチールワイヤ１が使われ、スチールワイヤ１全体が熱収縮チューブ２によって覆われる。同様に、スチールワイヤの端部は、また、滑らかなプラスチック保護層４によって覆われる。
【００３７】
図７〜図９に示される本発明の第３の実施の形態では、スチールワイヤ１は、互いに重なり合うスチールワイヤ１１（第１の金属ワイヤ部材）および１２（第２の金属ワイヤ部材）を含む。スチールワイヤ１１および１２は、同一の硬さを有する同一の材質からなる。しかしながら、スチールワイヤ１１および１２の長さは異なる。スチールワイヤ１１および１２間の結合部は、熱収縮チューブ（第１の層）２に収容され、スチールワイヤ１全体および結合部の熱収縮チューブ（第１の層）２は、外側の熱収縮チューブ（第２の層）２によってさらに覆われる。両端部は、滑らかなプラスチック保護層４によって、さらに覆われる。
【００３８】
図１０および図１１に示される本発明の第４の実施の形態では、スチールワイヤ１は、互いに重なり合うスチールワイヤ１１（第１の金属ワイヤ部材）および１２（第２の金属ワイヤ部材）を含む。スチールワイヤ１１および１２は、同一の硬さおよび同一の長さを有する同一の材質からなる。スチールワイヤ１の端部は、熱収縮チューブ２に収容され、スチールワイヤ１全体および結合部の熱収縮チューブ２は、外側の熱収縮チューブ２によってさらに覆われる。両端部は、滑らかなプラスチック保護層４によって、さらに覆われる。
【００３９】
図１２に示される本発明の第５の実施の形態では、湾曲したばねが使われる。前記ばねは、熱収縮チューブ２によって覆われる。
【００４０】
図１３に示される本発明の第６の実施の形態では、異なる長さのスチールワイヤ１１，１２の他のモデルが使われる。スチールワイヤ１１，１２（二つの金属ワイヤ部材）の各近接端部は、ばね１３によって互いに端と端とを接続される。ばね１３と、ばね１３とスチールワイヤ１１，１２との間の結合部とは熱収縮チューブ２によって覆われる。
【００４１】
本発明は、とりわけ、その好ましい実施の形態を参照して、示されており、また説明されてきた。しかしながら、本発明は技術分野において通常の知識を有するものによって、添付の請求項により定義される本発明の精神および範囲から外れることなく形態や細部における様々な変更はされてもよい。
【図面の簡単な説明】
【００４２】
【図１】本発明の第１の実施の形態において提供されるフレーム構造を示す斜視図である。
【図２】熱収縮チューブによって収容される図１に示されるフレーム構造を示す図である。
【図３】図２の線Ａ−Ａに沿った断面図である。
【図４】本発明の第２の実施の形態において提供されるフレーム構造を示す斜視図である。
【図５】熱収縮チューブによって収容される図４に示されるフレーム構造を示す図である。
【図６】図４の線Ｂ−Ｂに沿った断面図である。
【図７】本発明の第３の実施の形態において提供されるフレーム構造を示す斜視図である。
【図８】熱収縮チューブによって収容される図７に示されるフレーム構造を示す図である。
【図９】図７の線Ｃ−Ｃに沿った断面図である。
【図１０】フレーム構造の第４の実施の形態を示す図である。
【図１１】図１０の線Ｄ−Ｄに沿った断面図である。
【図１２】フレーム構造の第５の実施の形態を示す図である。
【図１３】フレーム構造の第６の実施の形態を示す図である。
【符号の説明】
【００４３】
１、１１、１２    スチールワイヤ、
２    熱収縮チューブ、
４    プラスチック保護層、
１３    ばね。
【図１】
2005188017.tif 000003
【図２】
2005188017.tif 000004
【図３】
2005188017.tif 000005
【図４】
2005188017.tif 000006
【図５】
2005188017.tif 000007
【図６】
2005188017.tif 000008
【図７】
2005188017.tif 000009
【図８】
2005188017.tif 000010
【図９】
2005188017.tif 000011
【図１０】
2005188017.tif 000012
【図１１】
2005188017.tif 000013
【図１２】
2005188017.tif 000014
【図１３】
2005188017.tif 000015